(57)【要約】【課題】  ボタン１０を筐体２０に容易に取り付けることができるスイッチ構造１を提供するものである。【解決手段】  一端が支持部１１でかつ他端がスイッチ動作部１２となり中央部に透光性の操作部１４を有したボタン１０と、ボタン１０を内側に収納して操作部１４を外側に露出させる露出孔２３を有した筐体２０と、スイッチ動作部１２で駆動されるように配置されたスイッチ４０と、スイッチ４０の動作に連動して操作部１４を点灯するように配置された発光素子３０と、を備えたスイッチ構造１において、  筐体２０は、裏面側より筐体２０に支持部１１を挿入してボタン１０を引掛け支持する引掛け支持部２４と、ボタン１０の脱落を防止するための脱落防止部２５と、を設けているものである。【選択図】図４
2006331885.tif 000002
【特許請求の範囲】
【請求項１】
一端が支持部でかつ他端がスイッチ動作部となり中央部に透光性の操作部を有したボタンと、ボタンを内側に収納して操作部を外側に露出させる露出孔を有した筐体と、スイッチ動作部で駆動されるように配置されたスイッチと、スイッチの動作に連動して操作部を点灯するように配置された発光素子と、を備えたスイッチ構造において、
筺体は、裏面側より筐体に支持部を挿入してボタンを引掛け支持する引掛け支持部と、ボタンの脱落を防止するための脱落防止部と、を設けたことを特徴とするスイッチ構造。
【請求項２】
脱落防止部が、操作部の操作方向への移動量を制限するよう配置された爪であることを特徴とする請求項１に記載のスイッチ構造。
【請求項３】
スイッチ動作部が、スイッチの周壁と略同形状の凹みを備えて、操作部の操作方向にガイドされていることを特徴とする請求項１又は２に記載のスイッチ構造。
【発明の詳細な説明】
【技術分野】
【０００１】
本願発明は、ボタンを押し操作することによってスイッチを操作するスイッチ構造に関するものである。
【背景技術】
【０００２】
従来から、一端が支持部でかつ他端がスイッチ動作部となり中央部に透光性の操作部を有したボタンと、ボタンを内側に収納して操作部を外側に露出させる露出孔を有した筐体と、スイッチ動作部で駆動されるように配置されたスイッチと、スイッチの動作に連動して操作部を点灯するように配置された発行素子と、を備えたスイッチ構造が提供されている（例えば、特許文献１）。そして、この種のスイッチ構造は、スイッチ及び発光素子が実装されている基板と筐体との間にボタンを挟み込んで固定しているので、組み立て時にスイッチ及び発光素子の上にボタンを仮配置した後、露出孔が操作部から露出するようにボタンの上に筐体を被せてから、筐体と基板とを接合するようになっている。
【特許文献１】実開平０３−１０６６３６号公報
【発明の開示】
【発明が解決しようとする課題】
【０００３】
しかし、上記のような構造を備えたスイッチ構造では、基板と筐体との間にボタンを挟み込んで固定しているので、ボタンの上に筐体を被せる際にボタンがスイッチ及び発光素子から外れないように注意して組み立て作業を行う必要があり、組み立て作業時の生産性が悪い。また、ボタンの支持部を筐体または基板に接着した後、筐体を基板に被せる方法も考えられるが、接着に時間を要するために組み立て作業時の生産性はあまり向上しない。そこで、本願発明は、ボタンを筐体に容易に取り付けることができるスイッチ構造を提供するものである。
【課題を解決するための手段】
【０００４】
上記課題を解決するために、本願発明のスイッチ構造は、一端が支持部でかつ他端がスイッチ動作部となり中央部に透光性の操作部を有したボタンと、ボタンを内側に収納して操作部を外側に露出させる露出孔を有した筐体と、スイッチ動作部で駆動されるように配置されたスイッチと、スイッチの動作に連動して操作部を点灯するように配置された発光素子と、を備えたスイッチ構造において、筺体は、裏面側より筐体に支持部を挿入してボタンを引掛け支持する引掛け支持部と、ボタンの脱落を防止するための脱落防止部と、を設けているものである。
【発明の効果】
【０００５】
本願発明のスイッチ構造においては、筺体は、裏面側より筐体に支持部を挿入してボタンを引掛け支持する引掛け支持部と、ボタンの脱落を防止するための脱落防止部と、を設けているので、ボタンを容易に筐体に取り付けることができ、かつ組み立て作業時にボタンが筐体より外れてしまう不具合が生じ難い。
【発明を実施するための最良の形態】
【０００６】
以下、本願発明を実施するための最良の形態について図面を参照しながら説明する。
【０００７】
本実施形態は、図１に示すインターホン副親機９０に適用したものである。但し、本願発明はこれに限られず種々の電子機器に適用可能である。
【０００８】
このインターホン副親機９０は、例えば、玄関先などに配設された子機や、室内に配設された親機及び他の副親機ととともにインターホンシステムを構成し、これら子機及び親機及び他の副親機との通話や、電気錠の施錠及び解錠の機能を有するものである。以下、上下左右は図１（ａ）を基準とし、図１（ａ）の紙面手前側を表面側として説明する。このインターホン副親機９０は、上述した通話や施解錠といった機能を実現するための電子回路およびこれらの機能の開始及び終了のトリガとなるスイッチを実装した基板５０が内蔵された筐体２０を備えているものである。
【０００９】
そして、筐体２０の表面下部には通話の開始及び終了のトリガとなるスイッチを操作するための大型の押釦９１が、筐体２０の表面中央部には玄関に設けられた電気錠等の玄関扉を解錠するトリガとなるスイッチ４０を操作するための丸型のボタン１０および他の部屋に設けられた親機または副親機に呼出し音を鳴動させるトリガとなるスイッチを操作するための２個の楕円型の押し釦９２が、各々設けられているものである。また、大型の押釦９１の上側には、筐体２０に内蔵されたスピーカの音を出すための音穴９３が設けられている。さらに、筐体２０下側面には、通話の音量調整と電源のオンオフとを行うためのスライドスイッチ９４が設けられているものである。
【００１０】
以下、本願発明の要点であるスイッチ構造１について説明する。本実施形態のスイッチ構造１は、一端が支持部１１でかつ他端がスイッチ動作部１２となり中央部に透光性の操作部１４を有したボタン１０と、ボタン１０を内側に収納して操作部１４を外側に露出させる露出孔２３を有した筐体２０と、スイッチ動作部１２で駆動されるように配置されたスイッチ４０と、スイッチ４０の動作に連動して操作部１４を点灯するように配置された発光素子３０と、を備えたスイッチ構造１において、筐体２０は、裏面側より筐体２０に支持部１１を挿入してボタン１０を引掛け支持する引掛け支持部２４と、ボタン１０の脱落を防止するための脱落防止部２５と、を設けたものである。
【００１１】
また、本実施形態のスイッチ構造１は、脱落防止部２５が、操作部１４の操作方向への移動量を制限するよう配置された爪２６であるものである。
【００１２】
また、本実施形態のスイッチ構造１は、スイッチ動作部１２が、スイッチ４０の周壁４１と略同形状の凹み１３を備えて、操作部１４の操作方向にガイドされているものである。
【００１３】
さらに、詳しく説明すると、本実施形態のスイッチ構造１は、図３・４に示すように、貫通孔である露出孔２３を備えた筐体２０の露出孔２３の近傍に設けられた貫通孔である引掛け支持部２４に、概略架橋構造体であるボタン１０の一方の先端である支持部１１を、筐体２０の一部であるカバー２２の内部側より挿入して引っかけ支持しつつ、ボタン１０の中央部に位置する操作部１４を筐体２０の脱落防止部２５である露出孔２３の外縁付近に突出形成された１対の爪２６の間に差し込んで、筐体２０のカバー２２にボタン１０を取り付けるものとなっている。そして、ボタン１０が取り付けられたカバー２２を、スイッチ４０及び発光素子３０が実装された基板５０を固定した筐体２０の外部であるボディ２１に、ボタン１０の操作部１４及びスイッチ動作部１２が発光素子３０及びスイッチ４０に対応するように、取り付けるものとなっている。また、上記組み立て後は、ボタン１０の操作部１４を操作者が押し操作することにより、支持部１１と操作部１４の間に位置する架橋部１５が撓んで操作部１４及びスイッチ動作部１２が筐体２０の裏面側である操作方向に移動し、基板５０に実装されたスイッチ４０がＯＮされ、それに連動して発光素子３０が点灯して透光性の操作部１４が内側より照らされて、操作者にスイッチ４０がＯＮ状態であることを通知するものとなっているものである。
【００１４】
筐体２０は、図１に示すように、壁面等の取付面に取り付けられる前面が開放されたボディ２１と、後面が開放された直方体形状に形成されボディ２１の表面側に被着されるカバー２２と、からなっており、ボディ２１及びカバー２２は例えば合成樹脂成形品からなっているものである。そして、カバー２２の中央部には、図２に示すように、ボタン１０の操作部１４のみを表面側へ露出させつつ他の部位を筐体２０の内側に収納するために、ボタン１０の操作部１４が操作方向に摺動可能に嵌め込まれる露出孔２３と、ボタン１０の支持部１１を挿入して引掛け支持できる逆Ｌ字形状の貫通孔である引掛け支持部２４と、を備えているものである。また、カバー２２の露出孔２３の外縁には１対（２個）の裏面方向に突出させて露出孔２３の中心側向きに爪２６を有する突起を備えており、カバー２２にボタン１０を取り付け後カバー２２の姿勢を様々に変更してもボタン１０が脱落するのを防ぐものとなっていると同時に、操作者が過剰な力で押し操作した際には爪２６でボタン１０の操作部１４が操作方向に移動し過ぎないようにストッパーとしての役割を担うものとなっている。
【００１５】
ボタン１０は、図３・４に示すように、中央部にあって操作者が押し操作しかつスイッチ４０がＯＮされた状態では筐体２０の内側の発光素子３０からの光を透光して操作者にスイッチ４０の状態を通知する操作部１４と、一端にあってカバー２２の引掛け支持部２４に挿入してボタン１０を引掛け支持する支持部１１と、他端にあって操作部１４と連動して操作方向に移動することにより基板５０に実装されたスイッチ４０をＯＮ・ＯＦＦするスイッチ動作部１２と、操作部１４と支持部１１の間にあって操作部１４が押し操作された際に撓み部となる架橋部１５と、操作部１４の内側方向に突出形成されてあって操作部１４が過剰な力で押し操作された際に操作部１４の過剰な操作方向への移動を基板５０に接触することにより防止するストッパー部１６と、で構成されているものである。ボタン１０の操作部１４は、筐体２０に設けられた露出孔２３内を操作方向に摺動可能なように露出孔２３よりも若干小さい断面円形状を備えて、ボタン１０の裏面側にある基板５０に実装された発光素子３０からの光を外側に効率よく透光させ得るように有底円筒形状のアクリル等の透光性樹脂で形成されているものである。また、ボタン１０の支持部１１は、筐体２０の引掛け支持部２４に挿入可能でかつ挿入後はボタン１０を支持できるように引掛け支持部２４よりも若干小さい略逆Ｌ字形状を備えているものである。さらに、ボタン１０のスイッチ動作部１２は、基板５０に実装されたスイッチ４０の周壁４１よりも若干大きな凹み１３を備えて、スイッチ４０の少なくとも上部を覆って、操作部１４が押し操作された際には、凹み１３の側壁とスイッチ４０の周壁４１とが擦れ合いつつ操作部１４及びスイッチ動作部１２が操作方向に移動するものとなっており、かつ凹み１３の底部でスイッチ４０を押すことが可能なものとなっている。そして、ボタン１０の架橋部１５は、操作部１４が押し操作された際に操作部１４と支持部１１の間で撓み易いように中央に貫通孔を設けているものである。また、ボタン１０のストッパー部１６は、操作部１４より操作方向に突出形成された突出片であり、押し操作時に操作部１４が発光素子３０に接触しないような突出量で形成されているものである。
【００１６】
スイッチ４０及び発光素子３０は同一の基板５０上に形成されており、スイッチ４０のＯＮ・ＯＦＦに伴って発光素子３０が点灯・消灯するものとなっているものである。
【００１７】
以上の構成を備えることにより、この実施形態で用いるスイッチ構造１は、一端が支持部１１でかつ他端がスイッチ動作部１２となり中央部に透光性の操作部１４を有したボタン１０と、ボタン１０を内側に収納して操作部１４を外側に露出させる露出孔２３を有した筐体２０と、スイッチ動作部１２で駆動されるように配置されたスイッチ４０と、スイッチ４０の動作に連動して操作部１４を点灯するように配置された発光素子３０と、を備えたスイッチ構造１において、筐体２０は、裏面側より筐体２０に支持部１１を挿入してボタン１０を引掛け支持する引掛け支持部２４と、ボタン１０の脱落を防止するための脱落防止部２５と、を設けているので、ボタン１０を容易に筐体２０に取り付けることができ、かつ組み立て作業時にボタン１０が筐体２０より外れてしまう不具合が生じ難いものである。
【００１８】
また、本実施形態のスイッチ構造１は、脱落防止部２５が、操作部１４の操作方向への移動量を制限するよう配置された爪２６であるので、ボタン１０を筐体２０の裏面側から簡単に取り付けることができて、また操作者がボタン１０を強く押したときのストッパーとしての役割も担うことができるものである。
【００１９】
また、本実施形態のスイッチ構造１は、スイッチ動作部１２が、スイッチ４０の周壁４１と略同形状の凹み１３を備えて、操作部１４の操作方向にガイドされているので、スイッチ動作部１２の移動が操作方向に規制されて、ボタン１０の操作部１４が押されたときに斜めに傾くことを防止でき、操作者が違和感を覚える不具合を防ぐことができるものである。
【図面の簡単な説明】
【００２０】
【図１】本願発明が用いられるインターホン副親機を示す図であり、（ａ）は正面図（ｂ）は下面図。
【図２】本願発明が用いられるインターホン副親機の筐体のカバーの斜視図。
【図３】本願発明の実施形態のインターホン副親機の筐体のカバーにボタンを取り付けた組立斜視図。
【図４】本願発明の実施形態の要部のスイッチ構造を示す（ａ）は左右方向断面図（ｂ）は上下方向断面図。
【符号の説明】
【００２１】
１      スイッチ構造
１０    ボタン
１１    支持部
１２    スイッチ動作部
１３    凹み
１４    操作部
１５    架橋部
１６    ストッパー部
２０    筐体
２１    ボディ
２２    カバー
２３    露出孔
２４    引掛け支持部
２５    脱落防止部
２６    爪
３０    発光素子
４０    スイッチ
４１    周壁
５０    基板
９０    インターホン副親機
９１    押釦
９２    押し釦
９３    音穴
９４    スライドスイッチ
【図１】
2006331885.tif 000003
【図２】
2006331885.tif 000004
【図３】
2006331885.tif 000005
【図４】
2006331885.tif 000006